(57)【特許請求の範囲】
【請求項１】
エレベータの非常止め装置の交換方法であって、
エレベータの乗りかごの枠体または釣り合い錘の枠体に既に取り付けられている非常止め装置を当該枠体から取り外す工程と、
前記枠体における非常止め装置が取り外された箇所に、一方の部分が前記枠体に取り外し自在に取付可能となっているとともに他方の部分が新しい非常止め装置に取り外し自在に取付可能となっているような取付アダプタを取り付ける工程と、
前記取付アダプタに新しい非常止め装置を取り付ける工程と、
を備えたことを特徴とするエレベータの非常止め装置の交換方法。
【請求項２】
エレベータの非常止め装置を交換するための取付アダプタにおいて、
既設の非常止め装置が取り外し自在に取付可能なエレベータの乗りかごの枠体または釣り合い錘の枠体に、取り外し自在に取付可能となっている部分と、
新たな非常止め装置に取り外し自在に取付可能となっている部分と、
を備えたことを特徴とする取付アダプタ。
【請求項３】
エレベータの非常止め装置を交換するための取付アダプタと、
既設の非常止め装置が取り外し自在に取り付け可能な乗りかごの枠体と、
新たな非常止め装置と、を備え、
前記取付アダプタの一方の部分は、前記枠体に取り付けられるとともに、他方の部分は、前記新たな非常止め装置に取り付けられ、
前記取付アダプタの前記一方の部分は、前記枠体に取り外し自在に取付可能となっているとともに、前記他方の部分は、前記新たな非常止め装置に取り外し自在に取付可能となっていることを特徴とするエレベータの乗りかご。
【請求項４】
エレベータの非常止め装置を交換するための取付アダプタと、
既設の非常止め装置が取り外し自在に取り付け可能な釣り合い錘の枠体と、
新たな非常止め装置と、を備え、
前記取付アダプタの一方の部分は、前記枠体に取り付けられるとともに、他方の部分は、前記新たな非常止め装置に取り付けられ、
前記取付アダプタの前記一方の部分は、前記枠体に取り外し自在に取付可能となっているとともに、前記他方の部分は、前記新たな非常止め装置に取り外し自在に取付可能となっていることを特徴とするエレベータの釣り合い錘。
【発明の詳細な説明】
【技術分野】
【０００１】
本発明は、エレベータの非常止め装置の交換方法、取付アダプタ、エレベータの乗りかごおよびエレベータの釣り合い錘に関し、とりわけ、乗りかごや釣り合い錘に設けられている非常止め装置の交換作業を容易かつ短時間で行うことができるようなエレベータの非常止め装置の交換方法、取付アダプタ、エレベータの乗りかごおよびエレベータの釣り合い錘に関する。
【背景技術】
【０００２】
エレベータの乗りかごや釣り合い錘は非常止め装置を有しており、この非常止め装置は、エレベータの乗りかごや釣り合い錘が予め設定された速度よりも大きな速度で降下した場合に作動して乗りかごや釣り合い錘を停止させるようになっている。このような非常止め装置は、乗りかごや釣り合い錘の下側に配設されることが多い。上述した非常止め装置は、例えば特許文献１乃至４等に開示されている。
【０００３】
まず、図３を用いて一般的なエレベータの構成について説明する。図３は、一般的なエレベータの構成を示す概略構成図である。図３に示すように、鉛直方向に延びるエレベータの昇降路１０内には、巻上機１１のメインシーブ１２に掛けられたメインロープ１４によりつるべ式に吊り下げられた乗りかご２０および釣り合い錘３０と、乗りかご２０および釣り合い錘３０に両端がそれぞれ接続されたコンペンロープ１６とを備えている。コンペンロープ１６には、鉛直方向に移動自在となっており自重によりこのコンペンロープ１６に張力を与えるコンペンシーブ１８が掛けられている。また、エレベータの昇降路１０には、コンペンシーブ１８を鉛直方向に案内する案内レール１９が設置されている。乗りかご２０および釣り合い錘３０には、それぞれ非常止め装置（後述）が設けられている。
【０００４】
図４を用いて一般的な非常止め装置の構成について説明する。図４は、エレベータの乗りかごにおける非常止め装置を示す概略構成図である。
【０００５】
図４に示すように、エレベータの昇降路１０には、鉛直方法に延びるガイドレール４０が設けられている。エレベータの乗りかご２０は、このガイドレール４０に案内されて昇降路１０内を昇降するようになっている。昇降路１０の最上部には、乗りかご２０の速度を検出する調速機４２が設置されている。昇降路１０のピットには、調速機４２に巻装されている調速機ロープ４４を昇降路１０に沿って張るための緊張用張り車４６が設けられている。調速機ロープ４４は、調速機４２と緊張用張り車４６の間で張り渡されている。
【０００６】
また、調速機４２には、乗りかご２０の下降速度が規定値を越えたときに作動して調速機ロープ４４を把持するロープつかみ部４８が設けられている。調速機ロープ４４は、セフティリンク４５を介して乗りかご２０と連結しており、このセフティリンク４５は、乗りかご２０の両側面に設けられた引上棒４７を介して非常止め装置２２と連結されている。この非常止め装置２２は、乗りかご２０の枠体２０ａの下部に連結されている。
【０００７】
乗りかご２０が規定の下降速度を越えて下降すると、ロープつかみ部４８が調速機ロープ４４を把持する結果、調速機ロープ４４の位置が固定される。この状態で乗りかご２０が下降するため、セフティリンク４５が回動し、これに伴いセフティリンク４５と連結している引上棒４７が乗りかご２０の枠体２０ａに対して引き上げられ、非常止め装置２２に組み込まれ引上棒４７に連結されているような楔（くさび、図示せず）が上方に移動してガイドレール４０を挟み、乗りかご２０を停止させるようになっている。
【０００８】
以上の説明においては、乗りかご２０に設けられた非常止め装置２２について説明したが、釣り合い錘にも同様に非常止め装置が設けられており、この釣り合い錘用の非常止め装置に対応する調速機、調速機ロープ、ロープつかみ部等が昇降路１０に配設されている。
【０００９】
【特許文献１】特開２００１−２３４２号公報
【特許文献２】特開２００８−３０８８４号公報
【特許文献３】特開２００７−４５５５１号公報
【特許文献４】特開２００４−７５２９８号公報
【発明の開示】
【発明が解決しようとする課題】
【００１０】
既設のエレベータの改修工事において、乗りかご２０にクーラーを追加したり、天井を交換したり、車椅子用の機能を追加したり、あるいは乗りかご２０内部の美観を高めるような工事を行ったりすると、乗りかご２０の質量が増加する場合がある。
【００１１】
ここで、前述のように乗りかご２０や釣り合い錘３０には非常止め装置２２が設置されているが、非常止め装置２２には適用質量が設けられており、乗りかご２０または釣り合い錘３０の質量はこの適用質量以下にしなければならないという問題がある。
【００１２】
従来のエレベータの改修工事では、乗りかご２０の質量が増加し、非常止め装置２２の適用質量を越えてしまう場合には、非常止め装置２２と、この非常止め装置２２が取り付けられている乗りかご２０の枠体２０ａまたは釣り合い錘３０の枠体とを撤去した上で、新しい非常止め装置が組み込まれた枠体を現地のエレベータの昇降路１０に設置し直さなければならなかった。このような改修工事は時間がかかるため、工期的にも経済的にもロスの多いものとなっていた。
【００１３】
ここで、新たに設置したい非常止め装置を既設の乗りかご２０の枠体２０ａや釣り合い錘３０の枠体に直接設置できない理由は、既設の非常止め装置２２と新しい非常止め装置との間で寸法や形状が一致していないためである。
【００１４】
本発明は、このような点を考慮してなされたものであって、既設の非常止め装置を寸法や形状が異なる新たな非常止め装置に交換する場合であっても、非常止め装置の交換作業を容易かつ短時間で行うことができるようなエレベータの非常止め装置の交換方法、取付アダプタ、エレベータの乗りかごおよびエレベータの釣り合い錘を提供することを目的とする。
【課題を解決するための手段】
【００１５】
本発明のエレベータの非常止め装置の交換方法は、エレベータの非常止め装置の交換方法であって、エレベータの乗りかごの枠体または釣り合い錘の枠体に既に取り付けられている非常止め装置を当該枠体から取り外す工程と、前記枠体における非常止め装置が取り外された箇所に、一方の部分が前記枠体に取り外し自在に取付可能となっているとともに他方の部分が新しい非常止め装置に取り外し自在に取付可能となっているような取付アダプタを取り付ける工程と、前記取付アダプタに新しい非常止め装置を取り付ける工程と、を備えたことを特徴とする。
【００１６】
また、本発明の取付アダプタは、エレベータの乗りかごの枠体または釣り合い錘の枠体に取り外し自在に取付可能となっている部分と、エレベータの非常止め装置に取り外し自在に取付可能となっている部分と、を備えたことを特徴とする。
【００１７】
また、本発明のエレベータの乗りかごは、乗りかごの枠体と、非常止め装置と、前記枠体に一方の部分が取り付けられるとともに前記非常止め装置に他方の部分が取り付けられた取付アダプタであって、前記一方の部分が前記枠体に取り外し自在に取付可能となっているとともに前記他方の部分が前記非常止め装置に取り外し自在に取付可能となっているような取付アダプタと、を備えたことを特徴とする。
【００１８】
また、本発明のエレベータの釣り合い錘は、釣り合い錘の枠体と、非常止め装置と、前記枠体に一方の部分が取り付けられるとともに前記非常止め装置に他方の部分が取り付けられた取付アダプタであって、前記一方の部分が前記枠体に取り外し自在に取付可能となっているとともに前記他方の部分が前記非常止め装置に取り外し自在に取付可能となっているような取付アダプタと、を備えたことを特徴とする。
【発明の効果】
【００１９】
本発明のエレベータの非常止め装置の交換方法、取付アダプタ、エレベータの乗りかごおよびエレベータの釣り合い錘によれば、既設の非常止め装置を寸法や形状が異なる新たな非常止め装置に交換する場合であっても、非常止め装置の交換作業を容易かつ短時間で行うことができる。
【発明を実施するための最良の形態】
【００２０】
以下、図面を参照して本発明の実施の形態について説明する。図１および図２は、本発明によるエレベータの非常止め装置の交換方法の実施の形態を示す図である。
このうち、図１は、既設の非常止め装置を取り外す前の状態における、エレベータの乗りかごの一部を示す概略構成図であり、図２は、新しい非常止め装置を取り付けた後の状態における、エレベータの乗りかごの一部を示す概略構成図である。なお、本実施の形態に係る配線経路最適化装置は、図３および図４に示すようなエレベータの既設の非常止め装置を新たな非常止め装置に交換する方法に関するものである。
【００２１】
図１に示すように、エレベータの乗りかご２０の枠体２０ａの下部には、既設の非常止め装置２２が直接取り付けられている。また、この非常止め装置２２には、引上棒４７（図３参照）の下端部に設けられたリンク機構２４が接続されている。
【００２２】
このような非常止め装置２２を寸法や形状が異なる新たな非常止め装置２６に交換するにあたり、まず、非常止め装置２２を枠体２０ａから取り外す。そして、図４に示すように、枠体２０ａにおける非常止め装置２２が取り外された箇所に、取付アダプタ２８を取り付ける。取付アダプタ２８は、その上面が乗りかご２０の枠体２０ａの下面に取り外し自在に取付可能となっている。また、取付アダプタ２８の下面には、新たに取り付けるべき非常止め装置２６の上面を取り外し自在に取り付けることができるようになっている。
【００２３】
枠体２０ａの下面に取付アダプタ２８の上面を取り付けた後、この取付アダプタ２８の下面に、新たな非常止め装置２６の上面を取り付ける。このようにして、乗りかご２０の枠体２０ａに対する新たな非常止め装置２６の取付作業が終了する。
【００２４】
なお、上述の記載においては、乗りかご２０の非常止め装置２２の交換方法について説明したが、釣り合い錘３０の非常止め装置についても、この釣り合い錘３０の枠体に既に取り付けられている非常止め装置を当該枠体から取り外し、枠体における非常止め装置が取り外された箇所に、一方の部分が枠体に取り外し自在に取付可能となっているとともに他方の部分が新しい非常止め装置に取り外し自在に可能となっているような取付アダプタを取り付け、その後、取付アダプタに新しい非常止め装置を取り付けるようにして、非常止め装置を交換することができるようになっている。
【００２５】
以上のように本実施の形態のエレベータの非常止め装置２２の交換方法によれば、乗りかご２０や釣り合い錘３０の枠体２０ａに既に取り付けられている非常止め装置２２を当該枠体２０ａから取り外し、枠体２０ａにおける非常止め装置２２が取り外された箇所に、一方の部分が枠体２０ａに取り外し自在に取付可能となっているとともに他方の部分が新しい非常止め装置２６に取り外し自在に取付可能となっているような取付アダプタ２８を取り付け、その後、取付アダプタ２８に新しい非常止め装置２６を取り付けるようになっている。このため、非常止め装置２２を取り外す際に、非常止め装置２２と乗りかご２０や釣り合い錘３０の枠体２０ａとを一緒に取り外す必要がなくなり、このため、既設の非常止め装置２２を寸法や形状が異なる新たな非常止め装置２６に交換する場合であっても、非常止め装置の交換作業を容易かつ短時間で行うことができるようになる。
【図面の簡単な説明】
【００２６】
【図１】本発明の実施の形態における、既設の非常止め装置を取り外す前の状態でのエレベータの乗りかごの一部を示す概略構成図である。
【図２】本発明の実施の形態における、新しい非常止め装置を取り付けた後の状態でのエレベータの乗りかごの一部を示す概略構成図である。
【図３】一般的なエレベータの構成を示す概略構成図である。
【図４】エレベータの乗りかごにおける非常止め装置を示す概略構成図である。
【符号の説明】
【００２７】
１０  昇降路
１１  巻上機
１２  メインシーブ
１４  メインロープ
１６  コンペンロープ
１８  コンペンシーブ
１９  案内レール
２０  乗りかご
２０ａ  枠体
２２  既設の非常止め装置
２４  リンク機構
２６  新たな非常止め装置
２８  取付アダプタ
３０  釣り合い錘
４０  ガイドレール
４２  調速機
４４  調速機ロープ
４５  セフティリンク
４６  緊張用張り車
４７  引上棒
４８  ロープつかみ部
【図１】
0005327835.tif 000002
【図２】
0005327835.tif 000003
【図３】
0005327835.tif 000004
【図４】
0005327835.tif 000005